(57)【要約】  【課題】  付箋シートをファイリングによって集積して、ノートブックとして利用可能な付箋紙を提供する。  【解決手段】  付箋紙１は、複数の付箋シート２の裏面に塗布された再剥離性粘着剤を介して積層されている。この付箋シート２は、上下方向に沿って形成されたミシン目３と、このミシン目３の外側に配置された糊代部４と、ミシン目３の内側に配置されて表面に文字などを記入可能なノート部５とを有している。この糊代部４の裏面に再剥離性粘着剤が塗布されている一方、ノート部５には、リングファイル１０のとじ具１１を挿通可能な複数の貫通孔６が形成されている。  【選択図】  図１
2007283510.tif 000002
【特許請求の範囲】
【請求項１】
複数の付箋シートが、裏面の一部に塗布された粘着剤を介して剥離自在に積層された付箋紙であって、
前記各付箋シートに、ファイルのとじ具を挿通可能な貫通孔を設けたことを特徴とする付箋紙。
【請求項２】
前記各付箋シートは、上下方向に沿って形成されたミシン目と、このミシン目の外側に配置された糊代部と、前記ミシン目の内側に配置されて表面に記入可能なノート部とを有し、
前記糊代部の裏面に前記粘着剤を塗布するとともに、前記貫通孔を前記ノート部に形成したことを特徴とする請求項１記載の付箋紙。
【請求項３】
前記ノート部の表面に、記入用の罫線を設けたことを特徴とする請求項２記載の付箋紙。
【請求項４】
前記ノート部を上下に分割可能なことを特徴とする請求項２または３のいずれか記載の付箋紙。
【請求項５】
前記付箋シートを、透過性を有する材料により構成したことを特徴とする請求項２〜４のいずれか記載の付箋紙。
【発明の詳細な説明】
【技術分野】
【０００１】
本発明は、複数枚の付箋シートを、リングファイルにファイリング可能な付箋紙に関する。
【背景技術】
【０００２】
周知のように、シート状の紙片（付箋シート）の一側端領域に粘着部を設けて積層された付箋紙が事務用品として利用されている。
【０００３】
この付箋紙の利用態様としては、付箋シートの粘着剤が塗布された糊代部を書類の紙面に貼り付ける一方、かかる粘着剤が塗布されていない端部領域を書類の外縁から突出させて目印としたり、あるいは書類の特定ページ間に貼り付け、突出した領域に所定の書き込みを行ってインデックス片としたり、さらには簡易なメモ用紙として利用されていた。
【特許文献１】特開２００１−１８０１７１
【発明の開示】
【発明が解決しようとする課題】
【０００４】
しかしながら、従来の付箋シートは、インデックス片や簡易のメモ用紙として利用されていたにすぎず、これをファイリングしてノートブックとして利用することについては何ら考慮されていなかった。
【０００５】
すなわち、付箋シートをファイリングできれば、重要なメモや文章などが紛失することがないばかりか、例えば学生などは教科毎に教科書とノートブックを携帯する必要がなく、携帯性および利便性が向上する。
【０００６】
そこで、本発明は、付箋シートをファイリングによって集積して、ノートブックとして利用可能な付箋紙を提供することを目的とする。
【課題を解決するための手段】
【０００７】
本発明は、前記課題を解決すべく案出されたもので、請求項１記載の発明は、複数の付箋シートが、裏面の一部に塗布された粘着剤を介して剥離自在に積層された付箋紙であって、前記各付箋シートに、ファイルのとじ具を挿通可能な貫通孔を設けたことを特徴としている。
【０００８】
したがって、とじ具を開いて貫通孔内に挿通した後に、とじ具を閉めれば、付箋シートがとじ具に回動自在に係止され、これにより付箋シートがファイルにファイリングされる。
【０００９】
請求項２記載の発明は、前記各付箋シートは、上下方向に沿って形成されたミシン目と、このミシン目の外側に配置された糊代部と、前記ミシン目の内側に配置されて表面に記入可能なノート部とを有し、前記糊代部の裏面に前記粘着剤を塗布するとともに、前記貫通孔を前記ノート部に形成したことを特徴としている。
【００１０】
したがって、糊代部を切り離した後に、ノート部の貫通孔内にとじ具を挿通して、ファイリングすることができる。
【００１１】
請求項３記載の発明は、前記ノート部の表面に、記入用の罫線を設けたことを特徴としている。
【００１２】
この発明によれば、ノート部の表面に罫線があるので、文字を記入するときに行が乱れることが防止される。
【００１３】
請求項４記載の発明は、前記ノート部を上下に分割可能なことを特徴としている。
【００１４】
この発明によれば、例えば上下のノート部に異なる内容を記載して、ファイルの上下に別々にファイリングすることもできる。
【００１５】
請求項５記載の発明は、前記付箋シートを、透過性を有する材料により構成したことを特徴としている。
【００１６】
したがって、付箋シートの粘着部を書籍の紙面に貼付した場合であっても、書籍の記載内容を確認しつつ、文字などを記入することができる。
【発明の効果】
【００１７】
請求項１〜５記載の発明によれば、各付箋シートをインデックス片やメモ用紙として利用できる他、ファイリングされた複数枚の付箋シートを、ノートブックとして利用することができる。
【００１８】
したがって、学生などは、学校に教科書と一冊の付箋紙を携帯すればよく、携帯性および利便性が向上する。また、重要なメモや業務命令などを記入した付箋シートがファイリング可能なため、かかるメモなどの紛失が防止され、これを後日見直すこともできる。
【００１９】
特に、請求項２記載の発明によれば、糊代部を切り離した後に、ノート部の貫通孔内にとじ具が挿通されるため、ファイリングされた付箋シート同士の粘着が防止される。
【００２０】
請求項３記載の発明によれば、文字を記入するときに行が乱れることが防止されるため、ノート部への記入が容易となる。
【００２１】
請求項４記載の発明によれば、ノート部が上下に適宜分割できるため、付箋シートの整理が容易となる。
【００２２】
請求項５記載の発明によれば、付箋シートの粘着部を書籍の紙面に貼付した場合であっても、書籍の記載内容を確認しつつ、文字などが記入可能なため、利便性が向上する。
【発明を実施するための最良の形態】
【００２３】
図１〜図４は、本発明の実施形態に係る付箋紙を示し、この付箋紙１は、図２に示すように、複数枚の紙製の付箋シート２が剥離自在に積層されている。この付箋シート２の積層枚数は、特に限定されていないが、２０枚〜１００枚程度が望ましい。
【００２４】
前記各付箋シート２は、図３に示すように、教科書・参考書・雑誌などの書籍の各ページの紙面よりも小さく設定され、前記書籍の各ページの紙面に貼付できる。例えばＡ４版の書籍の紙面に貼付する場合にはＡ５版の大きさが好ましく、Ｂ５版の書籍の紙面に貼付する場合にはＢ６版の大きさが好ましい。また、各付箋紙２の厚さは、５０μｍ〜２００μｍが好ましく、７５μｍ〜１２５μｍであればより好ましく、９０μｍ〜１１０μｍであれば特に好ましい。
【００２５】
具体的には、前記各付箋シート２は、図１に示すように、縦長の長方形状に形成され、一側端縁から所定の距離をおいて上下方向に形成されたミシン目３と、このミシン目３の外側の糊代部４と、前記ミシン目３の内側に配置されて文字などを記入自在なノート部５とを有し、前記糊代部４と前記ノート部５とは前記ミシン目３によって分割することができる。
【００２６】
前記糊代部４の裏面は、図１中の斜線部の領域に、再剥離性粘着剤が塗布されている。この再剥離性粘着剤は、被着体に粘着と剥離を繰り返した場合において、粘着性微小粒子が残存しないため、教科書・参考書などの書籍の紙面に貼り付けても、かかる紙面を汚すおそれがない。この再剥離性粘着剤には、例えばアクリル系ポリマー（アクリル系エマルジョン型粘着剤やアクリル系溶剤型粘着剤）やウレタン系粘着剤などが用いられている。
【００２７】
前記ノート部５は、図１に示すように、前記ミシン目３の内側に形成されたファイリング用の貫通孔６と、前記ミシン目３と直交してノート部を上下に分割可能な破断線としてのミシン目８とを備えている。この上下のノート部５ａ．５ｂの表面には、等間隔に複数の記入用罫線９が印刷されている。この各ノート部５ａ．５ｂの表面には、例えば縁取りの枠線を付記してもよい。
【００２８】
前記貫通孔６は、前記ミシン目３に平行に上下方向に沿って形成され、上下の各ノート部５ａ．５ｂにそれぞれ三個づつ形成されている。この各貫通孔６の間隔は、図４に示すように、リングファイル１０のリング状のとじ具１１と同間隔に設定されているとともに、前記貫通孔６の内径も前記とじ具１１を挿通可能な大きさに設定されている。これにより前記各貫通孔６内に前記各とじ具を挿通して複数枚の付箋シート２をファイリングすることができる。
【００２９】
したがって、この付箋紙１によれば、従来と同様に、各付箋シート２をインデックス片やメモ用紙として利用できる他、ファイリングされた付箋シート２を、ノートブックとしても利用することができる。
【００３０】
この利用態様の一例を説明すれば、学校の授業などの際に、付箋シート２を剥がし、図３に示すように、糊代部４の裏面を教科書などの折目附近に貼れば、教科書の該当ページ毎に、板書内容や授業内容をノート部５の表面に写すことができる。
【００３１】
このとき各ページの紙面はノート部５に隠れているものの、これを折り返せば教科書の記載内容が確認できる。また、ノート部５の表面には記入用の罫線９が印刷されているため、文字を記入するときに行が乱れることがなく、文字の記入が容易である。この点については、縁取りの枠線を付記しておけば、さらに記入し易くなる。
【００３２】
この貼り付けた状態のまま帰宅後に、図４に示すように、教科書の各ページから付箋シート２を剥がすとともに、ミシン目３に沿って糊代部４を切り離す。この後にリングファイル１０の各とじ具１１を開いて、各とじ具１１を各貫通孔６内に挿通する。この挿通後に各とじ具１１を閉めれば、各とじ具１１に付箋シート２が回動自在に係止され、これにより糊代部４を切り離した付箋シート２が、リングファイル１０にファイリングされる。
【００３３】
このファイリングに際しては、付箋シート２から糊代部４が切り離されているため、ファイリングされた付箋シート２同士の粘着が防止される。したがって、ファイリングされた付箋シート２は、スムーズにページ捲り（ページ移動）ができ、ページ捲りに支障が生じることがない。
【００３４】
また、ノート部５は、ミシン目８によって上下のノート部５ａ．５ｂに適宜分割できるので、整理が容易である。例えばノート部５ａ．５ｂに異なる教科の板書や授業内容を記入してリングファイル１０の上下に別々にファイリングすることもできる。
【００３５】
このファイリングを継続して行った場合には、付箋シート２のノート部５が集積されるため、その教科のノートブックとして利用することができる。したがって、従来の付箋のように紛失することがなく、ファイリングされた付箋シート２のノート部５を利用して、その教科の予習復習ができる。
【００３６】
この場合に、従来は複数の付箋シートをホチキスやクリップで止めることが多かったが、これでは枚数の制限があるばかりか、ホチキス止めではホチキスの芯により指を怪我するおそれがあり、クリップ止めでは付箋が分散するおそれもある。
【００３７】
これに対して、本実施形態の付箋紙１は、リングファイル１０のとじ具１１に付箋シート２を係止させているため、ホチキス止めやクリップ止めの弊害はなく、安全確実に付箋シート２のノート部５がファイリングされる。
【００３８】
とりわけ全教科の板書などをノート部に記入し、これを教科毎にリングファイル１０にファイリングすれば、全教科のノートブックとして利用ができる。したがって、学校には教科書と一冊の付箋紙を携帯すればよく、これにより従来のように教科毎に教科書とノートブックを用意する必要がなく、この点で登校下校時の荷物を低減でき、携帯性および利便性が向上する。
【００３９】
なお、本発明は上記実施形態に限定されるものではなく、例えば他の利用態様として、重要なメモや業務命令などをノート部５に記入して、糊代部４を切り離した付箋シート２を、リングファイル１０にファイリングすることもできる。この場合には、重要なメモなどを記入した付箋シート２の紛失が防止されため、これを後日見直して、自己の研鑽に役立てられる。
【００４０】
また、前記各付箋シート２の材質については、通常の紙材のほかに、樹脂コーティング材（例えばトレーシングペーパ）などを採用することもできる。このトレーシングペーパを用いた場合には、半透明になるので、教科書などの記載内容を確認しながら板書内容をノート部５に書き写すことができ、利便性が向上する。
【００４１】
ただ、わざわざ半透明あるいは透明の材料を使用しなくとも、薄めの紙（コピー紙程度）であれば、多少の透過性があるので、かかる利点を得られる。
【図面の簡単な説明】
【００４２】
【図１】本発明の実施形態に係る付箋シートの裏面図。
【図２】同  付箋シートを積層した付箋紙。
【図３】同  付箋シートを書籍の紙面に貼付した状態を示す斜視図。
【図４】同  ファイリングの状態を示す斜視図。
【符号の説明】
【００４３】
１…付箋紙
２…付箋シート
３…ミシン目
５…ノート部
５ａ…上側のノート部
５ｂ…下側のノート部
６…貫通孔
９…罫線
１０…リングファイル（ファイル）
１１…とじ具
【図１】
2007283510.tif 000003
【図２】
2007283510.tif 000004
【図３】
2007283510.tif 000005
【図４】
2007283510.tif 000006